【事件の表示】
　特願２０１０−２３９５８０「光信号をパッケージ化された半導体回路に結合する方法及び装置」拒絶査定不服審判事件〔平成２３年　５月２６日出願公開、特開２０１１−１０２９７９〕について、次のとおり審決する。
【結　論】
　本件審判の請求は、成り立たない。
【理　由】
第１　手続の経緯 
　本願は、平成２２年１０月２６日（パリ条約による優先権主張　２００９年１１月１１日　２００９年１２月７日　２０１０年４月１６日、米国）の出願であって、平成２５年６月１９日付けで拒絶の理由が通知され、同年８月２６日に意見書及び手続補正書の提出がなされたが、該手続補正書は補正をすることのできる期間を経過した後に提出されたものであることから、同年１２月４日付けで手続却下の処分がなされ、同年１２月１２日付けで拒絶査定がなされ、これに対して、平成２６年３月１２日に拒絶査定不服審判が請求されると同時に手続補正がなされ、その後、当審において、平成２７年４月２２日付けで拒絶の理由（以下「当審拒絶理由」という。）が通知され、同年６月２２日に手続補正がなされたものである。　　　　　
　　　  　
第２　平成２７年６月２２日付け手続補正についての補正却下の決定  
　［補正却下の決定の結論］  
　成２７年６月２２日付け手続補正（以下「本件補正」という。）を却下する。 　  
 　　　　 　  
［理　由］  
１　補正内容・目的 　  
（１）本件補正は、特許請求の範囲についてするものであり、その特許請求の範囲の請求項２については、本件補正前の請求項４を引用する請求項５に係る発明に、請求項６に記載された発明特定事項を追加して、独立形式に書き直したものに相当する。
　すなわち、本件補正後の請求項２についての補正は、本件補正前の請求項４を引用する請求項５に係る発明に、
　本件補正前の請求項６に記載された「前記アクセスを経て受信器に受信される光信号あるいは前記送信器から前記アクセスへと送信される光信号を、複数の送信信号あるいは複数の受信信号とし、
一方の信号をリンクするため、複数の受信器及び複数の受信器の一方から選択された複数の光素子が前記パッケージ化された半導体回路に含まれることとし、前記ホルダーは、前記光素子のそれぞれをマルチコアの1つのコアと接続するためのマルチ光リンクを備える前記アクセスに、マルチコアを有する前記光ケーブルを固定するか、
一方の複数の信号をリンクするため、複数の受信器及び複数の受信器の一方から選択された複数の光素子が前記パッケージ化された半導体回路に含まることとし、前記複数のホルダーは、それぞれが1つの光リンクを備える前記アクセスに前記複数の光ケーブルを固定するか、
のいずれかとするか、
前記アクセスを経て光信号を受信する受信器としての光素子、あるいは前記アクセスへと光信号を送信する送信器としての光素子を複数対備えるようにし、そのそれぞれを、プリズム、レンズ、フィルタ、ハーフミラー、列をなす双方向光リンク及びそれらの組み合わせから成るグループから選ばれた前記アクセス内の複数の構造体を経る複数の双方向光信号をリンクするため、１つの受信器及び１つの送信器から成る複数対が前記パッケージ化された半導体回路に含まれることとし、前記ホルダーは、マルチコアを有する前記光
ケーブルを前記マルチコアの少なくとも２つのコアを有する前記対の少なくとも２つのための光リンクを有する前記アクセスに固定するか、
複数のアクセスの各アクセス内のプリズム、レンズ、フィルタ、ハーフミラー、列をなす双方向光リンク及びそれらの組み合わせから成るグループから選ばれた複数の構造体を経る複数の双方向光信号のリンクのための１つの受信器及び１つの送信器から成る複数対が前記パッケージ化された半導体回路に含まれることとし、少なくとも２つのホルダーが２つの光ケーブルを前記アクセスの２つに固定するか、
前記アクセス及び複数のアクセスの一方を経て整合する１つの受信器及び１つの送信器を含む対が複数の双方向光信号をリンクするための前記パッケージ化された半導体回路に含まれることとし、前記ホルダーの１つから選ばれた組み合わせはマルチコアを有する1つの前記光ケーブルを前記１つのアクセスに固定し、複数のホルダーは、２つのコア対を有する前記マルチコアの少なくとも２対又はシングルコアを有する少なくとも４つの前記光ケーブルをリンクするために、それぞれがシングルコアを有する複数の光ケーブルを前記複数のアクセスに固定するか、のいずれかとしてなる」
との発明特定事項を追加するものであるから、本件補正前の請求項１を引用する請求項５に係る発明が備える発明特定事項を、さらに限定的に減縮するものではなく、特許法第１７条の２第５項第２号に掲げる「特許請求の範囲の減縮」を目的とするものとは認められない。
　また、本件補正後の請求項２についての補正が、「請求項の削除」、「誤記の訂正」又は「明りょうでない記載の釈明」の何れにも該当しないことは明らかである。　　
　   　
（２）まとめ
　本件補正は、特許法第１７条の２第５項の規定に違反することから、同法第１５９条第１項において読み替えて準用する同法第５３条第１項の規定により却下すべきものである。        　
　　
２　付言　
　本件補正は、上記「１　補正内容・目的」で検討したとおり、特許法第５３条第１項の規定により却下すべきものであるが、念のため、本件補正後の請求項２についての補正が「特許請求の範囲の減縮」を目的とするものであるとした際に、本件補正後の請求項２に係る発明が特許出願の際独立して特許を受けることができるものであるか（特許法第１７条の２第６項において準用する同法第１２６条第５項の規定に適合するか）否かを、以下に検討する。　        　
　　　  　
（１）本件補正後の請求項２に係る発明　
　ア　本件補正後の請求項２に係る発明は、本件補正後の請求項２に記載された事項により特定される、以下のおりのものであると認められる。　  　　
          
　「電気器具の制御のための光信号を光ガイド、光ファイバ及びそれらの組合せのグループから選択された少なくとも１つの光ケーブルを経て、制御対象に係る電気器具側に備えられるパッケージ化された半導体回路に受信
させ、かつ
帰還データに係る
とともに
及び
スイッチ、電流センサ、電流データ処理装置及びそれらの組合せから成るグループから選択され、ピン、はんだピン、表面実装接点、表面実装端子、プラグ、ソケット、ポスト、ブレード、ターミナルブロック、ねじ留め端子、圧着端子、ファストン端子、はんだ端子、はんだ接点及びそれらの組み合わせから成るグループから選ばれた接点経由で電気的に接続されており、前記ホルダー及び前記アクセスは、
（ａ）
（ｂ）
（ｃ）
前記受信器において光信号を受信するための光素子
及び
受信器及び１つの送信器を含む少なくとも２つ備えられ、プリズム、レンズ、フィルタ、ハーフミラー、列をなす双方向光リンク及びその組み合わせから成るグループから選ばれた前記アクセス内の構造体を経由して双方向光信号をリンクするために、前記パッケージ化された半導体回路の中に含まれているか、
２つの送信器を有する１つの受信器と２つ受信器を有する１つの送信器とから成る組み合わせの１つから選ばれた少なくとも３つ備えられ、プリズム、レンズ、フィルタ、ハーフミラー、列をなす３つの双方向光リンク及びその組み合わせから成るグループから選ばれた前記アクセス内の構造体を経由して双方向光信号をリンクするために、前記パッケージ化された半導体回路の中に含まれているか、
１つの受信器と１つの送信器とから成る少なくとも２つ備えられ、デュアルコアを有する前記光ケーブルと２つの光ケーブルとのうちの一方を経由する双方向光信号をリンクするための前記パッケージ化された半導体回路に含められており、前記ホルダー及び前記アクセスは、２つの光リンクを有するデュアルコアアクセスにデュアルコアを有する前記光ケーブルを固定するための前記ホルダーと、それぞれが単一光リンクを有する２つのアクセスに前記２つの光ケーブルを固定するための２つのホルダーとから成る組合せの１つに構成されているか、
のいずれか
とし、さらに、
前記アクセスを経て受信器に受信される光信号及び前記送信器から前記アクセスへと送信される光信号を、複数の送信信号及び複数の受信信号とし、　
一方の信号をリンクするため、複数の受信器及び複数の受信器の一方から選択された複数の光素子が前記パッケージ化された半導体回路に含まれることとし、前記ホルダーは、前記光素子のそれぞれをマルチコアの1つのコアと接続するためのマルチ光リンクを備える前記アクセスに、マルチコアを有する前記光ケーブルを固定するか、
一方の複数の信号をリンクするため、複数の受信器及び複数の受信器の一方から選択された複数の光素子が前記パッケージ化された半導体回路に含まることとし、前記複数のホルダーは、それぞれが1つの光リンクを備える前記アクセスに前記複数の光ケーブルを固定するか、
のいずれかとするか、
前記アクセスを経て光信号を受信する受信器としての光素子、あるいは前記アクセスへと光信号を送信する送信器としての光素子を複数対備えるようにし、そのそれぞれを、プリズム、レンズ、フィルタ、ハーフミラー、列をなす双方向光リンク及びそれらの組み合わせから成るグループから選ばれた前記アクセス内の複数の構造体を経る複数の双方向光信号をリンクするため、１つの受信器及び１つの送信器から成る複数対が前記パッケージ化された半導体回路に含まれることとし、前記ホルダーは、マルチコアを有する前記光
ケーブルを前記マルチコアの少なくとも２つのコアを有する前記対の少なくとも２つのための光リンクを有する前記アクセスに固定するか、
複数のアクセスの各アクセス内のプリズム、レンズ、フィルタ、ハーフミラー、列をなす双方向光リンク及びそれらの組み合わせから成るグループから選ばれた複数の構造体を経る複数の双方向光信号のリンクのための１つの受信器及び１つの送信器から成る複数対が前記パッケージ化された半導体回路に含まれることとし、少なくとも２つのホルダーが２つの光ケーブルを前記アクセスの２つに固定するか、
前記アクセス及び複数のアクセスの一方を経て整合する１つの受信器及び１つの送信器を含む対が複数の双方向光信号をリンクするための前記パッケージ化された半導体回路に含まれることとし、前記ホルダーの１つから選ばれた組み合わせはマルチコアを有する1つの前記光ケーブルを前記１つのアクセスに固定し、複数のホルダーは、２つのコア対を有する前記マルチコアの少なくとも２対又はシングルコアを有する少なくとも４つの前記光ケーブルをリンクするために、それぞれがシングルコアを有する複数の光ケーブルを前記複数のアクセスに固定するか、
のいずれかとしてなる、
光信号をパッケージ化された半導体回路に結合する装置。」（なお、下線は、請求人が手続補正書において付したものである。）　
　　　
　イ　本件補正後の請求項２に係る発明は、上記アに記載したとおり、択一的に記載された発明特定事項を含むものであるところ、そのうちの幾つかの発明特定事項を選択して、整理すると、以下の発明を包含するものといえる（以下「本願補正発明」という。）。　
　　　　　
　「電気器具の制御のための光信号を光ガイド、光ファイバ及びそれらの組合せのグループから選択された少なくとも１つの光ケーブルを経て、制御対象に係る電気器具側に備えられるパッケージ化された半導体回路に受信させ、かつ制御対象に係る電気器具側のパッケージ化された半導体回路から前記光ケーブル側へと送信される帰還データに係る光信号を送信可能とするとともに、
　前記パッケージ化された半導体回路は、
　フォトダイオード、光起電性セル、光ダイアック、フォトサイリスタ、フォトトライアック、フォトトランジスタ、光ＭＯＳＦＥＴ、ＬＥＤ、レーザ及びその組み合わせから成るグループから選択され、光信号を送信
及び
　内蔵ホルダー、取付け可能なホルダー及びその組み合わせから成るグループから選ばれた、前記光ケーブルを前記アクセスに結合するための、少なくとも１つのホルダーとを含み、
　さらに前記半導体回路は、
　ドライバ、バッファ、分配器、リピータ、コントローラ、スイッチ、電流センサ、電流データ処理装置及びそれらの組合せから成るグループから選択され、ピン、はんだピン、表面実装接点、表面実装端子、プラグ、ソケット、ポスト、ブレード、ターミナルブロック、ねじ留め端子、圧着端子、ファストン端子、はんだ端子、はんだ接点及びそれらの組み合わせから成るグループから選ばれた接点経由で電気的に接続されており、
　前記ホルダー及び前記アクセスは、
（ａ）切断、調整、形作り及びそれらの組合せを含むグループから選択された処理によって端末処理された前記光ケーブルの前記一端を、前記光素子を経て前記回路に固定し光学的にリンクするように構成し、
（ｂ）前記アクセス及び前記光素子を通り、前記光ケーブルを経由する前記光信号をパッケージ化された半導体回路に備えられる受信器で受信し、
（ｃ）さらにパッケージ化された半導体回路に備えられる送信器から前記光ケーブル側に向けて光信号を送信させることとし、前記電気器具の少なくとも１つを制御することとした光信号をパッケージ化された半導体回路に結合する装置であって、
　前記受信器において光信号を受信するための光素子及び前記送信器において光信号を送信するための光素子は、受信器及び１つの送信器を含む少なくとも２つ備えられ、プリズム、レンズ、フィルタ、ハーフミラー、列をなす双方向光リンク及びその組み合わせから成るグループから選ばれた前記アクセス内の構造体を経由して双方向光信号をリンクするために、前記パッケージ化された半導体回路の中に含まれ、
　さらに、前記アクセスを経て光信号を受信する受信器としての光素子、あるいは前記アクセスへと光信号を送信する送信器としての光素子を複数対備えるようにし、
　そのそれぞれを、複数のアクセスの各アクセス内のプリズム、レンズ、フィルタ、ハーフミラー、列をなす双方向光リンク及びそれらの組み合わせから成るグループから選ばれた複数の構造体を経る複数の双方向光信号のリンクのための１つの受信器及び１つの送信器から成る複数対が前記パッケージ化された半導体回路に含まれることとし、少なくとも２つのホルダーが２つの光ケーブルを前記アクセスの２つに固定してなる、
　光信号をパッケージ化された半導体回路に結合する装置。」
　　　　 　　　　     　　　　　　　　　　　　　  
（３）独立特許要件  
　ア　刊行物に記載された事項  
　当審拒絶理由において、周知技術２として引用し、本願の最先の優先日前に頒布された刊行物である特開２００３−２２７９７０号公報（以下「引用文献１」という。）には、図とともに以下の記載がある（なお、下線は、当審で付した。以下同じ。）。　  　
　  　
（ア）「【請求項５】  
発光素子と受光素子とを有すると共に一対の光ファイバーが接続されて光通信を行う光リンク装置
基板のフレーム搭載面にリードフレームが配置されて成る
回路基板
上記
発光素子
他方の光ファイバーを伝送された光が入射され入射された光を
受光素子
該第２の集光レンズ部から受光素子までの光路を変更する受光素子用光路変更部と、
回路基板のフレーム搭載面を覆うカバーとを備え、
該カバーに上記受光素子用光路変更部を一体に形成し、
発光素子と受光素子とをリードフレーム上に搭載した
【請求項６】  発光素子から第１の集光レンズ部までの光路を変更する発光素子用光路変更部を設け、
該発光素子用光路変更部と受光素子用光路変更部とを一体成形部材の一部として一体に形成したことを特徴とする請求項５に記載の光リンク装置。
【請求項７】  発光素子又は受光素子の少なくとも一方をリードフレーム上に搭載された駆動用ＩＣ上に搭載し、
発光素子又は受光素子の少なくとも一方を駆動用ＩＣを介して回路基板のリードフレーム上に搭載した
　　　
（イ）「【００２５】
【発明の実施の形態】以下に、本発明光リンク装置の実施の形態を添付図面に従って説明する。
【００２６】先ず、第１の実施の形態について説明する（図１乃至図７参照）。
【００２７】
光リンク装置１はハウジング２と該ハウジング２に結合されたレセプタクル３とを有している
【００２８】
ハウジング２は一方に開口された箱状を為し、ベース４と該ベース４を覆うカバー５とから成る
【００２９】ベース４は一方に長い矩形の板状を為す底壁部６と該底壁部６の周縁に立設された周壁部７とが一体に形成されて成り、該周壁部７によって囲まれた部分が配置凹部８として形成されている。周壁部７の両側部には、ベース４の長手方向に離間してそれぞれ複数の配置用溝７ａ、７ａ、・・・が形成されている。
【００３０】カバー５は天面部５ａと該天面部５ａの周縁から垂設された周面部５ｂとが一体に形成されて成る。
【００３１】
ベース４の配置凹部８には、その長手方向における一端側を除いた部分に、平板状の基板９が配置されている。基板９のフレーム搭載面９ａには金属製のリードフレーム１０が配置され、基板９にリードフレーム１０が配置されることにより回路基板１１が形成される
【００３２】
リードフレーム１０は平板状の素子搭載部１０ａと該素子搭載部１０ａの両側縁からそれぞれ長手方向に離間して外方へ突出された外部リードピン１０ｂ、１０ｂ、・・・とを有している。素子搭載部１０ａには、駆動用ＩＣや制御用ＩＣ等の各種の図示しない電子素子が所定の位置に搭載されている
外部リードピン１０ｂ、１０ｂ、・・・は外部機器、例えば、パーソナルコンピューターの接続部に接続される
　  　
（ウ）上記（イ）で引用する図１、２は、以下のものである。　　
  　
（エ）「【００４２】
レセプタクル３は一方に開口された箱状を為し、その内部空間が嵌合凹部３ａとして形成されている。レセプタクル３は、スリーブ２２、２２のハウジング２から突出された部分をそれぞれ覆う略円筒状のスリーブホルダー部２３、２３を内部に有している
【００４３】光リンク装置１に接続される
光コネクター２４は、コネクター部２５に光ファイバー２６、２６がそれぞれ支持されて成る
【００４４】コネクター部２５の一端部には周方向に離間して係合切欠２５ａ、２５ａが形成されている。コネクター部２５にはそれぞれ一方に開口された支持凹部２７、２７が離間して形成され、該支持凹部２７、２７はそれぞれ大径の挿入部２７ａ、２７ａと小径の支持部２７ｂ、２７ｂとから成る。
【００４５】
光ファイバー２６、２６は、それぞれその先端部がフェルール２８、２８に覆われている
【００４６】支持凹部２７、２７の支持部２７ｂ、２７ｂにはそれぞれ付勢バネ２９、２９が縮設されており、該付勢バネ２９、２９によってフェルール２８、２８がコネクター部２５から突出する方向へ付勢されている。
【００４７】
光コネクター２４は、コネクター部２５がレセプタクル３の嵌合凹部３ａに挿入されて嵌合され、レセプタクル３の係合突部３ｂ、３ｂがそれぞれコネクター部２５の係合切欠２５ａ、２５ａに係合されて結合される
フェルール２８、２８がスリーブ２２、２２に挿入された状態においては、レセプタクル３のスリーブホルダー部２３、２３がそれぞれコネクター部２５の挿入部２７ａ、２７ａに挿入される
【００４８】光コネクター２４が上記のようにして光リンク装置１に結合された状態において、外部機器から電気信号がリードフレーム１０を介して発光素子１２に入力されると、該
発光素子１２において光電変換されて光信号が発光素子１２から第１の集光レンズ部１７へ向けて出射される。第１の集光レンズ部１７に入射された光信号は、一方のストッパー２１の光通過孔２１ａを介して一方の光ファイバー２６に入射されて外部機器からのデーターの送信が行われる
【００４９】一方、他方の光ファイバー２６を光信号が伝送されると、伝送された光信号が他方のストッパー２１の光通過孔２１ａから第２の集光レンズ部１８に入射され、受光素子用光路変更部２０の反射面２０ａによって光路が９０°折り曲げられて受光素子１３において受光される。
受光素子１３において受光された光信号は光電変換されて電気信号としてリードフレーム１０から外部機器に入力され外部機器へのデーターの送信が行われる
   　
　イ　引用文献１に記載された発明
（ア）上記ア（ア）の記載によれば、引用文献１には、
　「発光素子と受光素子とを有すると共に一対の光ファイバーが接続されて光通信を行う光リンク装置であって、
　基板のフレーム搭載面にリードフレームが配置されて成る回路基板と、
　上記発光素子から出射された光が入射され入射された光を一方の光ファイバーに集光すると共に光軸が基板のフレーム搭載面に平行とされた第１の集光レンズ部と、
　他方の光ファイバーを伝送された光が入射され入射された光を受光素子に集光すると共に光軸が基板のフレーム搭載面に平行とされた第２の集光レンズ部と、
　該第２の集光レンズ部から受光素子までの光路を変更する受光素子用光路変更部と、
　回路基板のフレーム搭載面を覆うカバーとを備え、
　該カバーに上記受光素子用光路変更部を一体に形成し、
　発光素子と受光素子とをリードフレーム上に搭載した、光リンク装置。」
が記載されているものと認められる。　
　
（イ）上記ア（イ）の記載に照らして、図１、２を見ると、以下のことが理解できる。
　ａ　上記（ア）の「光リンク装置」は、
「ハウジング２」と「レセプタクル３」とを有すること。
　　　　　            　   　
　ｂ　上記（ア）の「回路基板」は、
　駆動用ＩＣや制御用ＩＣ等の電子素子が所定の位置に搭載され、外部リードピンを介してパーソナルコンピューターの接続部に接続されるものであってもよいこと。    　　            　
  　　　
（ウ）上記ア（エ）の記載に照らして、図１、２を見ると、以下のことが理解できる。
　ａ　「レセプタクル３」は、一対の光ファイバーの先端部が挿入される２個のスリーブを有していること。
  　
　ｂ　「レセプタクル３」には、一対の光ファイバーを支持するコネクター部２５が嵌合されること。
  　　    　　　  　
（エ）上記（ア）ないし（ウ）より、引用文献１には、次の発明（以下「引用発明１」という。）が記載されているものと認められる（なお、「ファイバー」は「ファイバ」と表記する。）。　　　
    　            　
　「光素子と受光素子とを有するとともに一対の光ファイバが接続されて光通信を行う光リンク装置であって、
　ハウジングと、
　一対の光ファイバの先端部が挿入される２個のスリーブを有するレセプタクルと、
　基板のフレーム搭載面にリードフレームが配置されるとともに、駆動用ＩＣや制御用ＩＣ等の電子素子が所定の位置に搭載され、外部リードピンを介してパーソナルコンピューターの接続部に接続される回路基板と、
　上記発光素子から出射された光が入射され入射された光を一方の光ファイバに集光すると共に光軸が基板のフレーム搭載面に平行とされた第１の集光レンズ部と、
　他方の光ファイバを伝送された光が入射され入射された光を受光素子に集光すると共に光軸が基板のフレーム搭載面に平行とされた第２の集光レンズ部と、
　第２の集光レンズ部から受光素子までの光路を変更する受光素子用光路変更部と、
　回路基板のフレーム搭載面を覆うカバーとを備え、
　カバーに受光素子用光路変更部を一体に形成し、
　発光素子と受光素子とをリードフレーム上に搭載し、
　レセプタクルに、一対の光ファイバを支持するコネクター部が嵌合される、光リンク装置。」　　
　
　ウ　対比
　本願補正発明と引用発明１を対比する。
（ア）引用発明１の「パーソナルコンピューター」は、本願補正発明の「電気器具」に相当し、以下同様に、
　「光ファイバ」は、「光ファイバ」に、
　「発光素子」は、「送信器」に、
　「受光素子」は、「受信器」に、
　「スリーブ」は、「アクセス」に、
　「コネクター部」は、「取付け可能なホルダー」に、それぞれ相当する。
　           　
（イ）引用発明１の「光リンク装置」は、パーソナルコンピューターと外部機器との間で光通信を行うものであるから、「光ファイバ」を介して光信号を送信・受信可能であるといえる。
　また、引用発明１の「回路基板」には、「駆動用ＩＣや制御用ＩＣ等の電子素子が所定の位置に搭載され」ていることに照らせば、引用発明１の「回路基板」は、パッケージ化された半導体回路を有しているといえる。　
　してみると、引用発明１と本願補正発明とは、
　「電気器具の制御のための光信号を光ガイド、光ファイバ及びそれらの組合せのグループから選択された少なくとも１つの光ケーブルを経て、制御対象に係る電気器具側に備えられるパッケージ化された半導体回路に受信させ、かつ制御対象に係る電気器具側のパッケージ化された半導体回路から前記光ケーブル側へと送信される帰還データに係る光信号を送信可能とする」
点で一致する。　
　    　
（ウ）引用発明１の「回路基板」は、外部リードピンを介してパーソナルコンピューターの接続部に接続され、「外部リードピン」は、本願補正発明の「表面実装接点、表面実装端子」に相当する。
　してみると、引用発明１と本願補正発明とは、
　「前記半導体回路は、
　ドライバ、バッファ、分配器、リピータ、コントローラ、スイッチ、電流センサ、電流データ処理装置及びそれらの組合せから成るグループから選択され、ピン、はんだピン、表面実装接点、表面実装端子、プラグ、ソケット、ポスト、ブレード、ターミナルブロック、ねじ留め端子、圧着端子、ファストン端子、はんだ端子、はんだ接点及びそれらの組み合わせから成るグループから選ばれた接点経由で電気的に接続されている」
点で一致する。　
　　   　
（エ）引用発明１の「コネクター部」には、所望の長さに切断した「光ファイバ」の端部が支持されていることは当業者にとって明らかであり、「一対の光ファイバの先端が挿入される２個のスリーブを有するレセプタ」に「コネクター部」を嵌合することで、光通信がなされることに照らせば、
　引用発明と本願補正発明とは、
　「前記ホルダー及び前記アクセスは、
（ａ）切断、調整、形作り及びそれらの組合せを含むグループから選択された処理によって端末処理された前記光ケーブルの前記一端を、前記光素子を経て前記回路に固定し光学的にリンクするように構成し、
（ｂ）前記アクセス及び前記光素子を通り、前記光ケーブルを経由する前記光信号をパッケージ化された半導体回路に備えられる受信器で受信し、
（ｃ）さらにパッケージ化された半導体回路に備えられる送信器から前記光ケーブル側に向けて光信号を送信させることとし、前記電気器具の少なくとも１つを制御することとした光信号をパッケージ化された半導体回路に結合する装置である」
点で一致する。　
　     　
（オ）引用発明１は、発光素子から出射された光が入射する「第１の集光レンズ部」と光ファイバを伝送された光を受光素子に集光する「第２の集光レンズ部」とを備え、該レンズを介して光通信がなされることに照らせば、
　引用発明１と本願補正発明とは、
　「前記受信器において光信号を受信するための光素子及び前記送信器において光信号を送信するための光素子は、受信器及び１つの送信器を含む少なくとも２つ備えられ、プリズム、レンズ、フィルタ、ハーフミラー、列をなす双方向光リンク及びその組み合わせから成るグループから選ばれた前記アクセス内の構造体を経由して双方向光信号をリンクするために、前記パッケージ化された半導体回路の中に含まれている」
点で一致する。　
　　　　
（カ）以上のことから、本願補正発明と引用発明１とは以下の点で一致する。
　＜一致点＞  
　「電気器具の制御のための光信号を光ガイド、光ファイバ及びそれらの組合せのグループから選択された少なくとも１つの光ケーブルを経て、制御対象に係る電気器具側に備えられるパッケージ化された半導体回路に受信させ、かつ制御対象に係る電気器具側のパッケージ化された半導体回路から前記光ケーブル側へと送信される帰還データに係る光信号を送信可能とするとともに、
　前記パッケージ化された半導体回路は、
　光信号を送信及び受信可能とする光素子に光学的に整合する少なくとも１つのアクセスと、
　内蔵ホルダー、取付け可能なホルダー及びその組み合わせから成るグループから選ばれた、前記光ケーブルを前記アクセスに結合するための、少なくとも１つのホルダーとを含み、
　さらに前記半導体回路は、
　ドライバ、バッファ、分配器、リピータ、コントローラ、スイッチ、電流センサ、電流データ処理装置及びそれらの組合せから成るグループから選択され、ピン、はんだピン、表面実装接点、表面実装端子、プラグ、ソケット、ポスト、ブレード、ターミナルブロック、ねじ留め端子、圧着端子、ファストン端子、はんだ端子、はんだ接点及びそれらの組み合わせから成るグループから選ばれた接点経由で電気的に接続されており、
　前記ホルダー及び前記アクセスは、
（ａ）切断、調整、形作り及びそれらの組合せを含むグループから選択された処理によって端末処理された前記光ケーブルの前記一端を、前記光素子を経て前記回路に固定し光学的にリンクするように構成し、
（ｂ）前記アクセス及び前記光素子を通り、前記光ケーブルを経由する前記光信号をパッケージ化された半導体回路に備えられる受信器で受信し、
（ｃ）さらにパッケージ化された半導体回路に備えられる送信器から前記光ケーブル側に向けて光信号を送信させることとし、前記電気器具の少なくとも１つを制御することとした光信号をパッケージ化された半導体回路に結合する装置であって、
　前記受信器において光信号を受信するための光素子及び前記送信器において光信号を送信するための光素子は、受信器及び１つの送信器を含む少なくとも２つ備えられ、プリズム、レンズ、フィルタ、ハーフミラー、列をなす双方向光リンク及びその組み合わせから成るグループから選ばれた前記アクセス内の構造体を経由して双方向光信号をリンクするために、前記パッケージ化された半導体回路の中に含まれる、
　光信号をパッケージ化された半導体回路に結合する装置。」　
           　
（キ）一方で、本願補正発明と引用発明１とは、以下の点で相違する。 
　＜相違点１＞　  　
　光素子に関し、
　本願補正発明は、「フォトダイオード、光起電性セル、光ダイアック、フォトサイリスタ、フォトトライアック、フォトトランジスタ、光ＭＯＳＦＥＴ、ＬＥＤ、レーザ及びその組み合わせから成るグループから選択され」るものであるのに対して、
　引用発明１は、そのようなものであるか否か不明である点。
        　
　＜相違点２＞
　本願補正発明は、「前記アクセスを経て光信号を受信する受信器としての光素子、あるいは前記アクセスへと光信号を送信する送信器としての光素子を複数対備えるようにし、
　そのそれぞれを、複数のアクセスの各アクセス内のプリズム、レンズ、フィルタ、ハーフミラー、列をなす双方向光リンク及びそれらの組み合わせから成るグループから選ばれた複数の構造体を経る複数の双方向光信号のリンクのための１つの受信器及び１つの送信器から成る複数対が前記パッケージ化された半導体回路に含まれることとし、少なくとも２つのホルダーが２つの光ケーブルを前記アクセスの２つに固定してなる」のに対して、
　引用発明１は、受信器としての光素子、あるいは送信器としての光素子を複数対備えるものではない点。　
　　
　エ　判断
（ア）上記＜相違点１＞について検討する。
　ａ　引用発明１の「発光素子」及び「受光素子」を、それぞれ、「ＬＥＤ」及び「フォトダイオード」とすることは、当業者が適宜なし得た設計事項である。　
　
　ｂ　したがって、引用発明１において、上記＜相違点１＞に係る本願補正発明の発明特定事項を備えることは、当業者が適宜なし得たことである。
  　
（イ）上記＜相違点２＞について検討する。
　ａ　ハウジング内に、発光素子または受光素子を複数対そなえるようにすることは、当審拒絶理由で引用した実願平２−９２９６８号（実開平３−５０３５５号）のマイクロフィルム（第２図を参照。）の他に、特開２００３−２３２０４号公報（図１３を参照。）、特開平５−９１０５６号公報（図１を参照。）特開平４−１２２９０５号公報（第１図を参照。）及び特開平４−１６０６号公報（第３図を参照）に記載されているように、本願の最先の優先日時点で周知である（以下「周知技術」という。）。
    　
　ｂ　してみると、引用発明１において、ハウジング内のリードフレーム上に「２個の発光素子」と「２個の受光素子」を搭載するとともに、レセプタクルに、２個のコネクター部を嵌合するようになすことは、当業者が上記周知技術に基づいて容易になし得たことである。　
　
　ｃ　上記ｂのようにした引用発明１は、
　受信器及び送信器としての光素子を複数対備え、それぞれは、集光レンズを経て光通信が行えるように「回路基板のフレーム搭載面」に配置されたリードフレーム上に搭載され、２個のコネクタ部のそれぞれは、一対の光ファイバを２個のスリーブに固定したものとなる。　　
　       　           　
　ｄ　したがって、引用発明１において、上記＜相違点２＞に係る本願補正発明の発明特定事項を備えることは、当業者が上記周知技術に基づいて適宜なし得たことである。
  　　  　
　オ　効果
　本願補正発明の奏する効果は、引用発明１及び上記周知技術から予測し得る範囲内のものである。　
　    　
（４）独立特許要件についてまとめ
　上記「（３）独立特許要件」で検討したとおり、本件補正は、当業者が引用発明１及び周知技術に基づいて容易に発明をすることができたものであるから、特許出願の際独立して特許を受けることができないものである。
　よって、特許法第１７条の２第６項において準用する同法第１２６条第５項の規定ににより、却下すべきものである。　
　
３　補正却下についてのまとめ
　本件補正は、特許法第１７条の２第５項の規定に違反することから、同法第１５９条第１項において読み替えて準用する同法第５３条第１項の規定により却下すべきものである。 
　また、本件補正が「特許請求の範囲の減縮」を目的とするものであるとしても、本願補正発明は、特許出願の際独立して特許を受けることができないものであるから、特許法第１７条の２第６項において準用する同法第１２６条第５項の規定ににより、却下すべきものである。　
　　　　
第３　本願発明  
１　本願発明  
　本件補正は上記「第２」のとおり却下されたため、本願の請求項４に係る発明（以下「本願発明」という。）は、平成２６年３月１２日付けで提出された手続補正書の請求項４に記載された事項により特定される、以下のものであると認められる。　
　    　
　「電気器具の制御のための光信号を光ガイド、光ファイバ及びそれらの組合せのグループから選択された少なくとも１つの光ケーブルを経て、制御対象に係る電気器具側に備えられるパッケージ化された半導体回路に受信可能とし、あるいは制御対象に係る電気器具側のパッケージ化された半導体回路から前記光ケーブル側へと送信される光信号を送信可能とするため、光信号をパッケージ化された半導体回路に結合する装置であって、
前記パッケージ化された半導体回路は、フォトダイオード、光起電性セル、光ダイアック、フォトサイリスタ、フォトトライアック、フォトトランジスタ、光ＭＯＳＦＥＴ、ＬＥＤ、レーザ及びその組み合わせから成るグループから選択され、光信号を送信又は受信可能とする光素子に光学的に整合する少なくとも１つのアクセスと、
内蔵ホルダー、取付け可能なホルダー及びその組み合わせから成るグループから選ばれた、前記光ケーブルを前記アクセスに結合するための、少なくとも１つのホルダーとを含み、
さらに前記半導体回路は、ドライバ、バッファ、分配器、リピータ、コントローラ、スイッチ、電流センサ、電流データ処理装置及びそれらの組合せから成るグループから選択され、ピン、はんだピン、表面実装接点、表面実装端子、プラグ、ソケット、ポスト、ブレード、ターミナルブロック、ねじ留め端子、圧着端子、ファストン端子、はんだ端子、はんだ接点及びそれらの組み合わせから成るグループから選ばれた接点経由で電気的に接続されており、前記ホルダー及び前記アクセスは、切断、調整、形作り及びそれらの組合せを含むグループから選択された処理によって端末処理された前記光ケーブルの前記一端を、前記光素子を経て前記回路に固定し光学的にリンクするように構成し、前記アクセス及び前記光素子を通り、前記光ケーブルを経由する前記光信号をパッケージ化された半導体回路に備えられる受信器で受信し、さらにパッケージ化された半導体回路に備えられる送信器から前記光ケーブル側に向けて光信号を送信させることとし、前記電気器具の少なくとも１つを制御することを可能とした光信号をパッケージ化された半導体回路に結合する装置。」　
　
２　刊行物の記載　　　　　　　  
（１）当審拒絶理由に引用し、本願の最先の優先日前に頒布された刊行物である特開２００８−１１２１４８号公報（以下「引用文献２」という。）には、図とともに以下の記載がある。
　  　 
　ア　「【請求項２】
  光ファイバの端面を近接させて信号光によるデータ伝送を行う
受光装置
　前記光ファイバの端面から出射された第１の信号光の光軸上に設置され、この第１の信号光を受光する
受光手段
　前記第１の信号光の第１の光軸と平行な第２の光軸上に設置され、前記光ファイバの端面に向けて第２の信号光を発光する
発光手段
　前記光ファイバの端面から出射された第１の信号光の進行方向を前記第１の光軸方向に屈折させると共に、前記発光手段から出射された第２の信号光の焦点が前記光ファイバの端面に一致するように集光させるために前記光ファイバの端面側に設けた第１の光学面と、前記発光手段から出射された第２の信号光の進行方向を前記第２の光軸方向に屈折させて前記第１の光学面から出射させるために、前記発光手段側に設けた第２の光学面と、前記光ファイバの端面から出射されて前記第１の光学面により進行方向が前記第１の光軸方向に屈折された第１の信号光の焦点が前記受光手段の受光面に一致するように集光させるために、前記受光手段側に設けた第３の光学面とを有する多重焦点レンズと
　を備えることを特徴とする受光装置。」　
　　
　イ　「【技術分野】
【０００１】
　本発明は、光ファイバを用いて信号光を送受信することによってデータ伝送を行う
送受信装置に適用される発光装置及び受光装置
　
　ウ　「【００２７】
　図１は、本発明に係る発光装置及び受光装置を備える映像送受信装置を用いた光信号伝送システムの一実施形態の構成を示す全体構成図である。
【００２８】
　図１に示すように、本実施形態に係る光信号伝送システム１００は、ＴＶチューナ、ビデオテープレコーダ、及びビデオディスクプレーヤ（「ＤＶＤ」、「ＢＤ」）等に代表される映像再生装置１と、「ＰＤＰ」パネル、液晶モニタ、ＴＶ受像機、及びプロジェクタ等に代表される映像表示装置４とを備え、これらの
映像再生装置１及び映像表示装置４は、映像送信装置２及び映像受信装置３により光ファイバケーブル５を介して接続されている
【００２９】
　なお、映像再生装置１の代わりにビデオカメラ、デジタルカメラ等に代表される映像撮影装置やパーソナルコンピュータやハブ等に代表される端末を用いても良く、また、映像表示装置４の代わりにビデオテープレコーダやビデオディスクレコーダ(「ＤＶＤ」、「ＢＤ」)等)に代表される映像記録装置等を用いてもよい。
【００３０】
　これらの装置は、データ通信のために強度変調されたレーザ光やＬＥＤ光を信号光として送信するとともに、他方の装置から入力された信号光（レーザ光やＬＥＤ光）を受信してデータ伝送を行う。
【００３１】
　また、図１に示す本実施形態に係る光信号伝送システム１００では、伝送媒体として光ファイバケーブル５を用いているが、光ファイバケーブルの代わりに、プラスチックやガラスで形成された円柱あるいは多角形の透明パイプや、内壁に反射面をもつ中空パイプにて双方向伝送を実現してもよい。また、映像送信装置２の光信号を、直接または効率的に放射するための光学手段(レンズ、ミラーなど)を介して空間に放射するとともに、映像受信装置３にて直接または効率的に受光するための光学手段(レンズ、ミラーなど)を介して光信号を受光するような光空間伝送方式にて双方向伝送を実現してもよい。
【００３２】
　図２は、本実施形態に係る発光装置、受光装置を用いた映像送信装置２、映像受信装置３の構成を示す構成図である。
【００３３】
　
図２に示すように、映像送信装置２と映像受信装置３とが、光コネクタ８を両端に有する光ファイバケーブル５により接続されている
      　
　エ　上記ウで引用する図１、２は、以下のものである。
　
　オ　「【００７１】
≪受光装置の構成≫
　次に、本実施形態に係る受光装置３０の構成について説明する。
【００７２】
　図５は、本実施形態に係る受光装置３０の構成を示す構成図である。
【００７３】
　図５に示すように、本実施形態に係る受光装置３０は、
基板３０４に実装された信号光を発光する発光手段３０１と、光ファイバ９から出射された信号光を受光する受光手段３０２と、信号光を屈折及び集光させる多重焦点レンズ３０３と、光ファイバ９を保持するファイバ保持部３０５とを備える
【００７４】
　多重焦点レンズ３０３は、光ファイバ９から出射された第１の信号光の進行方向を光軸方向に屈折させると共に、発光手段３０１から出射された第２の信号光の焦点が光ファイバ９の端面に一致するように集光させる第１の光学面３０３ａと、発光手段３０１から出射された第２の信号光の進行方向を光軸方向に屈折させて第１の光学面２０３ａから出射させる第２の光学面３０３ｂと、光ファイバ９の端面から出射され、第１の光学面３０３ａにより進行方向が光軸方向に屈折された第１の信号光の焦点が受光手段３０２上に一致するように集光させる第３の光学面３０３ｃとを備える。
【００７５】
　発光手段３０１は、レーザダイオードや発光ダイオードなど、データ信号を伝送するための十分な応答速度を有する発光素子で構成される。また、この発光手段３０１は、
発光素子を駆動するための駆動回路
【００７６】
　受光手段３０２は、フォトダイオードや信号受信が可能な撮像素子などの受光素子で構成される。この受光手段３０２は、
受光素子で受信するための増幅回路や受信したアナログ信号をデジタル信号に変換する回路
【００７７】
　基板３０４は、図３に示した基板２０４と同様である。」　
　
　カ　「【００９６】　
　また、
この多重焦点レンズ３０３は、パッケージに実装された発光手段３０１及び受光手段３０２及び配線のためのワイヤーボンディングなどを保護するためのキャップとしての機能・構造を合わせ持つことが可能である
      　
　キ　上記オで引用する図５は、以下のものである。
　    　
（２）引用文献２に記載された発明
　ア　上記（１）ア及びイの記載によれば、引用文献２には、
　「光ファイバの端面を近接させて信号光によるデータ伝送を行う送受信装置に適用される発光装置であって、
　前記光ファイバの端面から出射された第１の信号光の光軸上に設置され、この第１の信号光を受光する受光手段と、
　前記第１の信号光の第１の光軸と平行な第２の光軸上に設置され、前記光ファイバの端面に向けて第２の信号光を発光する発光手段と、
　前記光ファイバの端面から出射された第１の信号光の進行方向を前記第１の光軸方向に屈折させると共に、前記発光手段から出射された第２の信号光の焦点が前記光ファイバの端面に一致するように集光させるために前記光ファイバの端面側に設けた第１の光学面と、前記発光手段から出射された第２の信号光の進行方向を前記第２の光軸方向に屈折させて前記第１の光学面から出射させるために、前記発光手段側に設けた第２の光学面と、前記光ファイバの端面から出射されて前記第１の光学面により進行方向が前記第１の光軸方向に屈折された第１の信号光の焦点が前記受光手段の受光面に一致するように集光させるために、前記受光手段側に設けた第３の光学面とを有する多重焦点レンズと、
　を備える、受光装置。」
が記載されているものと認められる。　
　              　
　イ　上記（１）ウの記載に照らして、図１、２を見ると、
　上記アの「受光装置」は、「映像表示装置」側に備えられたものであってもよいものと認められる。　  　
　　　　　
　ウ　上記（１）オの記載に照らして、図５を見ると、以下のことが理解できる。
（ア）上記アの「受光装置」は、具体的には、
　基板に実装された信号光を発光する発光手段と、
　光ファイバから出射された信号光を受光する受光手段と、
　信号光を屈折及び集光させる多重焦点レンズと、
　光ファイバを保持するファイバ保持部とを備えるものであってもよいこと。　
    　
（イ）上記アの「発光手段」は、レーザダイオードや発光ダイオードなどの発光素子で構成され、発光素子を駆動するための駆動回路を有していてもよいこと。
  　
（ウ）上記アの「受光手段」は、フォトダイオードなどの受光素子で構成され、受光素子で受信するための増幅回路や受信したアナログ信号をデジタル信号に変換する回路を有していてもよいこと。　
　
　エ　上記（１）ウの「【００３３】図２に示すように、映像送信装置２と映像受信装置３とが、光コネクタ８を両端に有する光ファイバケーブル５により接続されている。」との記載に照らして、図５を見ると、以下のことが理解できる。
　上記アの「受光装置」は、光ファイバの先端が挿入される挿入口を有するファイバ保持部を備え、このファイバ保持部に光ファイバの両端に取り付けられた光コネクタの一方が接続されること。  　
　　      　
　オ　上記（１）カの記載に照らして、図５を見ると、　　
　上記アの「多重焦点レンズ」は、
　パッケージに実装された発光手段及び受光手段及び配線のためのワイヤーボンディングなどを保護するためのキャップとしての機能・構造を合わせ持つものであってもよいものと認められる。　
  
　カ　上記アないしオより、引用文献２には、次の発明（以下「引用発明２」という。）が記載されているものと認められる。　
    　
　「光ファイバの端面を近接させて信号光によるデータ伝送を行う送受信装置に適用される映像表示装置側に備えられた発光装置であって、
　基板に実装された信号光を発光する発光手段と、
　光ファイバから出射された信号光を受光する受光手段と、
　信号光を屈折及び集光させる多重焦点レンズと、
　光ファイバの先端が挿入される挿入口を有するファイバ保持部とを備え、
　発光手段は、レーザダイオードや発光ダイオードなどの発光素子で構成され、発光素子を駆動するための駆動回路を有し、
　受光手段は、フォトダイオードなどの受光素子で構成され、受光素子で受信するための増幅回路や受信したアナログ信号をデジタル信号に変換する回路を有し、
　多重焦点レンズは、パッケージに実装された発光手段及び受光手段及び配線のためのワイヤーボンディングなどを保護するためのキャップとしての機能・構造を合わせ持つものであって、
　ファイバ保持部に光ファイバの両端に取り付けられた光コネクタの一方が接続される、
　受光装置。」　
　　     　
第４　対比・判断
１　本願発明と引用発明２を対比する。
（１）引用発明２の「映像表示装置」は、本願発明の「電気器具」に相当し、以下同様に、
　「光ファイバ」は、「光ファイバ」に、
　「レーザダイオードや発光ダイオード」は、「レーザ」及び「ＬＥＤ」に、        　
　「フォトダイオード」は、「フォトダイオード」に、
　「挿入口」は、「アクセス」に、
　「光コネクタ」は、「取付け可能なホルダー」に、それぞれ相当する。
　        　   　
（２）引用発明２の「発光手段及び受光手段」は、基板に実装されたものであって、「駆動回路」及び「増幅回路や受信したアナログ信号をデジタル信号に変換する回路」を有していることに照らせば、
　引用発明２の「基板」は、パッケージ化された半導体回路を有するものであるといえる。　
　　       　
（３）上記（１）及び（２）より、
　引用発明２と本願発明とは、
　「電気器具の制御のための光信号を光ガイド、光ファイバ及びそれらの組合せのグループから選択された少なくとも１つの光ケーブルを経て、制御対象に係る電気器具側に備えられるパッケージ化された半導体回路に受信可能とし、あるいは制御対象に係る電気器具側のパッケージ化された半導体回路から前記光ケーブル側へと送信される光信号を送信可能とするため、光信号をパッケージ化された半導体回路に結合する装置であって、
　前記パッケージ化された半導体回路は、フォトダイオード、光起電性セル、光ダイアック、フォトサイリスタ、フォトトライアック、フォトトランジスタ、光ＭＯＳＦＥＴ、ＬＥＤ、レーザ及びその組み合わせから成るグループから選択される」点で一致する。　
　
（４）引用発明２の「駆動回路」及び「増幅回路や受信したアナログ信号をデジタル信号に変換する回路」と「映像表示装置」とは、何らかの接点を介して電気的に接続していることは、当業者にとって明らかである。
　してみると、引用発明２と本願発明とは、
　「さらに前記半導体回路は、ドライバ、バッファ、分配器、リピータ、コントローラ、スイッチ、電流センサ、電流データ処理装置及びそれらの組合せから成るグループから選択され、
接点経由
点で一致する。　　
　
（５）引用発明２の「ファイバ保持部」の挿入口に挿入される光ファイバが
所望の長さに切断された後に光コネクタに取り付けられ、その光ファイバを介して信号光によるデータ伝送を行うものであることに照らせば、
　引用発明２と本願発明とは、
　「前記ホルダー及び前記アクセスは、切断、調整、形作り及びそれらの組合せを含むグループから選択された処理によって端末処理された前記光ケーブルの前記一端を、前記光素子を経て前記回路に固定し光学的にリンクするように構成し、前記アクセス及び前記光素子を通り、前記光ケーブルを経由する前記光信号をパッケージ化された半導体回路に備えられる受信器で受信し、さらにパッケージ化された半導体回路に備えられる送信器から前記光ケーブル側に向けて光信号を送信させることとし、前記電気器具の少なくとも１つを制御することを可能とした光信号をパッケージ化された半導体回路に結合する」
点で一致する。　　
　　　　　
（６）以上のことから、本願発明と引用発明２とは以下の点で一致する。
　＜一致点＞  
　「電気器具の制御のための光信号を光ガイド、光ファイバ及びそれらの組合せのグループから選択された少なくとも１つの光ケーブルを経て、制御対象に係る電気器具側に備えられるパッケージ化された半導体回路に受信可能とし、あるいは制御対象に係る電気器具側のパッケージ化された半導体回路から前記光ケーブル側へと送信される光信号を送信可能とするため、光信号をパッケージ化された半導体回路に結合する装置であって、
　前記パッケージ化された半導体回路は、フォトダイオード、光起電性セル、光ダイアック、フォトサイリスタ、フォトトライアック、フォトトランジスタ、光ＭＯＳＦＥＴ、ＬＥＤ、レーザ及びその組み合わせから成るグループから選択され、光信号を送信又は受信可能とする光素子に光学的に整合する少なくとも１つのアクセスと、
　内蔵ホルダー、取付け可能なホルダー及びその組み合わせから成るグループから選ばれた、前記光ケーブルを前記アクセスに結合するための、少なくとも１つのホルダーとを含み、
　さらに前記半導体回路は、ドライバ、バッファ、分配器、リピータ、コントローラ、スイッチ、電流センサ、電流データ処理装置及びそれらの組合せから成るグループから選択され、接点経由で電気的に接続されており、
　前記ホルダー及び前記アクセスは、切断、調整、形作り及びそれらの組合せを含むグループから選択された処理によって端末処理された前記光ケーブルの前記一端を、前記光素子を経て前記回路に固定し光学的にリンクするように構成し、前記アクセス及び前記光素子を通り、前記光ケーブルを経由する前記光信号をパッケージ化された半導体回路に備えられる受信器で受信し、さらにパッケージ化された半導体回路に備えられる送信器から前記光ケーブル側に向けて光信号を送信させることとし、前記電気器具の少なくとも１つを制御することを可能とした光信号をパッケージ化された半導体回路に結合する装置。」　
           　
（８）一方で、本願発明と引用発明２とは、以下の点で相違する。  
　＜相違点＞ 　  
　接点経由に関して、
　本願発明は、「ピン、はんだピン、表面実装接点、表面実装端子、プラグ、ソケット、ポスト、ブレード、ターミナルブロック、ねじ留め端子、圧着端子、ファストン端子、はんだ端子、はんだ接点及びそれらの組み合わせから成るグループから選ばれた」ものであるのに対して、
　引用発明２は、そのようなものであるか否か不明である点。　
　　
２　判断
（１）上記＜相違点＞について検討する。
　ア　引用発明２の「駆動回路」及び「増幅回路や受信したアナログ信号をデジタル信号に変換する回路」と「映像表示装置」とを、どのようにして電気的に接続するかは、当業者が当該引用発明２を実施する際に、適宜定めるべきところ、「ピン、はんだピン、表面実装接点、表面実装端子」などを利用して、電気的に接続することに何ら困難性は認められない。　
　　　     　
　イ　したがって、引用発明２において、上記＜相違点＞に係る本願発明の発明特定事項を備えることは、当業者が容易になし得たことである。  　
　　    　　　　    　 　 　　 
（２）効果 
　本願発明の奏する効果は、引用発明２の奏する効果から予測し得る範囲内のものである。　
 　　　  　
第５　むすび  
　以上のとおり、本願発明は、当業者が引用文献２に記載された発明に基づいて容易に発明をすることができたものであるから、特許法第２９条第２号の規定により、特許を受けることができない。  
                                      　
　よって、結論のとおり審決する。